(57)【要約】【課題】建物の架構体を、一階部分で大きな開口幅を設けることが容易であり、且つ、低コストで提供可能なものとする。【解決手段】本発明の建物の架構体は、軸組構造１４と、ラーメン構造１６と、両構造１４，１６を接合させる接合金具３４とを備える。軸組構造１４は、基礎４上に組み立てられる一階部分６と、この一階部分６から迫り出して形成される上階部分１２とを有する。ラーメン構造１６は、基礎４上に一対の重量鉄骨柱２６を立設し、両重量鉄骨柱２６間に重量鉄骨梁２８を架設して成る門型ラーメン３０を有する。門型ラーメン３０を形成する一対の重量鉄骨柱２６の頭部と、軸組構造１４の上階部分１２が有する床構造とを、接合金具３４を介して接合させる。【選択図】図１
2015025316.tif 000002
【特許請求の範囲】
【請求項１】
軽量鉄骨柱と軽量鉄骨梁とをピン接合させ、各階に耐力壁を構成するように二階以上で形成した軸組構造と、
重量鉄骨柱と重量鉄骨梁とを剛接合させて形成したラーメン構造と、
前記軸組構造と前記ラーメン構造を接合させる接合金具とを備え、
前記軸組構造は、基礎上に組み立てられる一階部分と、この一階部分から迫り出して形成される上階部分とを有し、
前記ラーメン構造は、前記基礎上に所定距離を隔てて一対の前記重量鉄骨柱を立設し、且つ、一対の前記重量鉄骨柱の互いの頭部間に前記重量鉄骨梁を架設することで形成した門型ラーメンを有し、
前記門型ラーメンを形成する一対の前記重量鉄骨柱の頭部と、前記軸組構造の前記上階部分が有する迫出し領域の床構造とを、前記接合金具を介して接合させたことを特徴とする建物の架構体。
【請求項２】
前記接合金具は、前記重量鉄骨柱の頭部に接合される下プレートと、前記上階部分の床構造に接合される上プレートと、前記下プレートと前記上プレートを結合させる縦リブとを有することを特徴とする請求項１に記載の建物の架構体。
【請求項３】
前記ラーメン構造は、前記門型ラーメンに加えて、一対の前記重量鉄骨柱の前記頭部からそれぞれ屋内方向に延設される屋内側重量鉄骨梁を有し、
前記屋内側重量鉄骨梁を、前記上階部分の床構造に接合させたことを特徴とする請求項１又は２に記載の建物の架構体。
【請求項４】
前記接合金具とは別の梁接合金具を更に備え、
前記屋内側重量鉄骨梁の先端部と、前記上階部分の床構造とを、前記梁接合金具を介して接合させたことを特徴とする請求項３に記載の建物の架構体。
【請求項５】
前記ラーメン構造は、前記門型ラーメンに加えて、一対の前記重量鉄骨柱の頭部からそれぞれ屋外方向に延設される屋外側重量鉄骨梁を有し、
前記屋外側重量鉄骨梁を、前記上階部分の床構造に接合させたことを特徴とする請求項１〜４のいずれか一項に記載の建物の架構体。
【請求項６】
前記接合金具とは別の梁接合金具を更に備え、
前記屋外側重量鉄骨梁の先端部と、前記上階部分の床構造とを、前記梁接合金具を介して接合させたことを特徴とする請求項５に記載の建物の架構体。
【発明の詳細な説明】
【技術分野】
【０００１】
本発明は、建物の架構体に関する。
【背景技術】
【０００２】
建物の架構体として、従来、重量鉄骨の柱と梁を剛接合したラーメン構造から成るものや、軽量鉄骨の柱と梁をピン接合した軸組構造から成るものが、知られている。
【０００３】
建物の架構体をラーメン構造で形成した場合には、柱間に大きな開口幅を設けやすいという利点がある（特許文献１参照）。他方、ラーメン構造は、軸組構造に比べて一般的に高コストであるから、架構体を低コストで提供することが困難になるという問題がある。
【０００４】
これに対して、建物の架構体を軸組構造で形成した場合には、低コスト化が可能となる。しかし、一階部分に駐車スペースや店舗スペースを設けようとするときには、一階部分の柱間に大きな開口幅を設けることが困難である点が、問題となる。
【先行技術文献】
【特許文献】
【０００５】
【特許文献１】特開２００４−３１６１７５号公報
【発明の概要】
【発明が解決しようとする課題】
【０００６】
本発明は、前記した従来の問題を解決するものである。
【０００７】
即ち、本発明は、一階部分にて柱間に大きな開口幅を設けやすい構造からなる建物の架構体を、低コストで提供することを課題とする。
【課題を解決するための手段】
【０００８】
前記課題を解決するために、本発明を、下記構成を具備する建物の架構体とする。
【０００９】
本発明は、軽量鉄骨柱と軽量鉄骨梁とをピン接合させ、各階に耐力壁を構成するように二階以上で形成した軸組構造と、重量鉄骨柱と重量鉄骨梁とを剛接合させて形成したラーメン構造と、前記軸組構造と前記ラーメン構造を接合させる接合金具とを備える。前記軸組構造は、基礎上に組み立てられる一階部分と、この一階部分から迫り出して形成される上階部分とを有する。前記ラーメン構造は、前記基礎上に所定距離を隔てて一対の前記重量鉄骨柱を立設し、且つ、一対の前記重量鉄骨柱の互いの頭部間に前記重量鉄骨梁を架設することで形成した門型ラーメンを有する。前記門型ラーメンを形成する一対の前記重量鉄骨柱の頭部と、前記軸組構造の前記上階部分が有する迫出し領域の床構造とを、前記接合金具を介して接合させる。
【００１０】
本発明において、前記接合金具は、前記重量鉄骨柱の頭部に接合される下プレートと、前記上階部分の床構造に接合される上プレートと、前記下プレートと前記上プレートを結合させる縦リブとを有することが好ましい。
【００１１】
また、本発明において、前記ラーメン構造は、前記門型ラーメンに加えて、一対の前記重量鉄骨柱の前記頭部からそれぞれ屋内方向に延設される屋内側重量鉄骨梁を有し、前記屋内側重量鉄骨梁を、前記上階部分の床構造に接合させることが好ましい。
【００１２】
このとき、前記接合金具とは別の梁接合金具を更に備え、前記屋内側重量鉄骨梁の先端部と、前記上階部分の床構造とを、前記梁接合金具を介して接合させることが好ましい。
【００１３】
また、本発明において、前記ラーメン構造は、前記門型ラーメンに加えて、一対の前記重量鉄骨柱の頭部からそれぞれ屋外方向に延設される屋外側重量鉄骨梁を有し、前記屋外側重量鉄骨梁を、前記上階部分の床構造に接合させることが好ましい。
【００１４】
このとき、前記接合金具とは別の梁接合金具を更に備え、前記屋外側重量鉄骨梁の先端部と、前記上階部分の床構造とを、前記梁接合金具を介して接合させることが好ましい。
【発明の効果】
【００１５】
本発明は、一階部分にて柱間に大きな開口幅を設けることが容易な構造を備える建物の架構体を、低コストで提供することができるという効果を奏する。
【図面の簡単な説明】
【００１６】
【図１】本発明の第１実施形態の建物の架構体を示す側面図である。
【図２】同上の架構体を示す正面図である。
【図３】同上の架構体に用いる接合金具の斜視図である。
【図４】同上の架構体に用いる梁接合金具の斜視図である。
【図５】同上の架構体の要部を示す正面図である。
【図６】同上の架構体の要部を示す側面図である。
【図７】同上の架構体の要部を示す平面図である。
【図８】同上の架構体の変形例を示す正面図である。
【図９】本発明の第２実施形態の建物の架構体を示す側面図である。
【図１０】同上の架構体の要部を示す側面図である。
【図１１】同上の架構体の要部を示す平面図である。
【発明を実施するための形態】
【００１７】
本発明の第１実施形態の建物の架構体を、図１〜図７に基づいて説明する。
【００１８】
図１、図２には、本実施形態の建物の架構体を示している。図１は、架構体を側方から視た図であり、図２は、架構体を前方から視た図である。
【００１９】
図中では、前方向を矢印１００、後方向を矢印２００、左方向を矢印３００、右方向を矢印４００で示している。
【００２０】
架構体は、コンクリートを打設した基礎４上に組み立てられる一階部分６と、一階部分６の上に組み立てられる二階部分８及び三階部分１０を有する。以下の本文中では、二階部分８と三階部分１０をまとめて上階部分１２と称する。
【００２１】
なお、本実施形態の建物は三階建てであるが、二階建ての建物であれば、その二階部分だけが上階部分１２となる。四階以上の建物であれば、二階からその最上階の部分が上階部分１２となる。
【００２２】
本実施形態の架構体においては、一階部分６のうち後側の領域と、上階部分１２の全部とが、軽量鉄骨を用いた軸組構造１４で形成される。一階部分６のうち前側の領域は、重量鉄骨を用いたラーメン構造１６で形成される。
【００２３】
軸組構造１４では、軽量鉄骨の柱である軽量鉄骨柱１８と、軽量鉄骨の梁である軽量鉄骨梁２０とを、ピン接合により接合させる。また、一階から三階の各階において、隣接する軽量鉄骨柱１８間に耐力ブレース２２を介在させて、耐力壁２４を形成している。
【００２４】
軸組構造１４の上階部分１２は、軸組構造１４の一階部分６から水平方向（ここでは前方向１００）に大きく迫り出して形成されている（図１参照）。ここでは、上階部分１２の前方に迫り出した領域を、上階部分１２が有する迫出し領域２とする。
【００２５】
ラーメン構造１６は、軸組構造１４の上階部分１２が有する迫出し領域２を、下方から強固に支持する構造である。ラーメン構造１６では、重量鉄骨の柱である重量鉄骨柱２６と、重量鉄骨の梁である重量鉄骨梁２８とを、多数のボルト等を用いた剛接合により接合させることで、門型ラーメン３０を形成する。
【００２６】
門型ラーメン３０は、水平方向（左右方向）に所定の距離をあけて基礎４上に立設される一対の重量鉄骨柱２６と、一対の重量鉄骨柱２６の互いの頭部間に架設される重量鉄骨梁２８とで、正面視において門型となるように形成される。
【００２７】
角型鋼管柱である重量鉄骨柱２６の頭部と、Ｈ型綱梁である重量鉄骨梁２８の左右方向の端部とは、Ｔ字鋼から成る継手金具３２と、後述の接合金具３４とを用いて、剛接合される（図２、図５参照）。
【００２８】
継手金具３２は、重量鉄骨柱２６の側面にボルト及びナットを用いて接合される縦片部３６と、縦片部３６の中間位置から直交方向に延設される横片部３８とを、一体に有する。横片部３８は、Ｈ型綱梁である重量鉄骨梁２８が有する下側フランジの下面に対して、複数のボルト及びナットを用いて接合される。重量鉄骨梁２８が有する上側フランジの上面には、接合金具３４が、複数のボルト及びナットを用いて接合される。
【００２９】
図３に斜視で示すように、接合金具３４は、平面視Ｌ字型である下プレート４０と、下プレート４０の中間部分４６の上方に位置する平面視矩形状の上プレート４２と、上下方向に対向位置する両プレート４０，４２同士を結合させる複数の縦リブ４４とを、一体に有する。
【００３０】
下プレート４０と上プレート４２とは、平面視での寸法形状が互いに相違し、上下方向の厚みも互いに相違する。下プレート４０は、上プレート４２よりも大きな平面積を有し、且つ、上プレート４２よりも大きな厚みを有する。
【００３１】
平面視Ｌ字型である下プレート４０は、Ｌ字型の角をなす中間部分４６と、この中間部分４６から一方向に延びる第一延設部分４８と、第一延設部分４８とは直交方向に延びる第二延設部分５０とから成る。
【００３２】
下プレート４０の中間部分４６は、溶接によって重量鉄骨柱２６の頭部に接合される。
【００３３】
第一延設部分４８には複数のボルト孔５２を穿設している。このボルト孔５２に挿入するボルト及びナットによって、第一延設部分４８は、重量鉄骨梁２８が有する上側フランジの上面に接合される（図５参照）。
【００３４】
本実施形態のラーメン構造１６は、前記のように形成される門型ラーメン３０に加えて、一対の重量鉄骨柱２６の頭部からそれぞれ屋内方向（ここでは後方向２００）に延設される屋内側重量鉄骨梁５４を有する（図１、図６、図７参照）。
【００３５】
Ｈ型鋼梁である屋内側重量鉄骨梁５４の屋外方向（ここでは前方向１００）の端部は、角型鋼管柱である重量鉄骨柱２６の頭部に対して、前記した継手金具３２と同様の構造を有する継手金具７８と、接合金具３４の第二延設部分５０とを用いて、剛接合される（図６参照）。
【００３６】
つまり、Ｔ字状である継手金具７８の縦片部８０が、重量鉄骨柱２６の側面にボルト及びナットを用いて接合される。継手金具７８の横片部８２は、Ｈ型鋼梁である屋内側重量鉄骨梁５４が有する下側フランジの下面に、複数のボルト及びナットを用いて接合される。
【００３７】
屋内側重量鉄骨梁５４が有する上側フランジの上面には、接合金具３４の第二延設部分５０が接合される。第二延設部分５０には複数のボルト孔５６を穿設しており、このボルト孔５６に挿入するボルト及びナットによって、屋内側重量鉄骨梁５４と第二延設部分５０が接合される。
【００３８】
前記のように構成されるラーメン構造１６は、重量鉄骨柱２６の頭部に溶接した接合金具３４と、これとは別の梁接合金具５８，７０を用いて、軸組構造１４の二階部分８の床構造に接合される。
【００３９】
図３に示すように、接合金具３４が有する平面視矩形状の上プレート４２には、複数のボルト孔５９を穿設している。このボルト孔５９に挿入するボルト及びナットによって、上プレート４２は、二階部分８の床構造をなす軽量鉄骨梁２０に接合される。
【００４０】
門型ラーメン３０から片持ち梁のように延設される屋内側重量鉄骨梁５４の先端部は、梁接合金具５８を介して、軸組構造１４の二階部分８の軽量鉄骨梁２０に接合される（図６参照）。
【００４１】
図４に斜視で示すように、梁接合金具５８は、平面視矩形状である下プレート６０と、下プレート６０の上方に位置する平面視矩形状の上プレート６２と、上下方向に対向位置する両プレート６０，６２同士を結合させる複数の縦リブ６４とを、一体に有する。
【００４２】
平面視において、下プレート６０の中心点と上プレート６２の中心点とは、互いにずれて位置する。下プレート６０は、上プレート６２よりも大きな平面積を有し、且つ、上プレート６２よりも大きな厚みを有する。
【００４３】
下プレート６０には複数のボルト孔６６を穿設しており、このボルト孔６６に挿入するボルト及びナットによって、下プレート６０は、屋内側重量鉄骨梁５４が有する上側フランジの上面に接合される。
【００４４】
上プレート６２には複数のボルト孔６８を穿設しており、このボルト孔６８に挿入するボルト及びナットによって、上プレート６２は、二階部分８の床構造をなす軽量鉄骨梁２０に接合される。
【００４５】
更に、門型ラーメン３０をなす重量鉄骨梁２８の左右方向の中央部分には、梁接合金具７０を接合させている（図５参照）。重量鉄骨梁２８の中央部分は、梁接合金具７０を介して、軸組構造１４の二階部分８の軽量鉄骨梁２０に接合される。
【００４６】
梁接合金具７０は、前記した梁接合金具５８と同様の構造を有する。つまり、梁接合金具７０は、平面視矩形状である下プレート７２と、これの上方に対向位置する平面視矩形状の上プレート７４と、両プレート７２，７４同士を結合させる複数の縦リブ７６とを、一体に有する。下プレート７２は、重量鉄骨梁２８が有する上側フランジの上面に対して複数のボルト及びナットで接合される。上プレート７４は、二階部分８の床構造をなす軽量鉄骨梁２０に対して複数のボルト及びナットで接合される。
【００４７】
また、本実施形態では、図１に示すように、基礎４のうち軸組構造１４の一階部分６を組み立てる部分よりも、ラーメン構造１６を組み立てる部分を、一段下げて形成している。つまり、重量鉄骨柱２６を立設する部分が一段下がるように基礎４を形成しているが、このような段差を設けなくてもよい。
【００４８】
以上のように、本実施形態の建物の架構体は、軽量鉄骨柱１８と軽量鉄骨梁２０をピン接合させ、各階に耐力壁２４を構成するように二階以上で形成した軸組構造１４と、重量鉄骨柱２６と重量鉄骨梁２８を剛接合させて形成したラーメン構造１６と、軸組構造１４とラーメン構造１６を接合させる接合金具３４とを備える。
【００４９】
軸組構造１４は、基礎４上に組み立てられる一階部分６と、この一階部分６から迫り出して形成される上階部分１２とを有する。
【００５０】
ラーメン構造１６は、基礎４上に所定距離を隔てて一対の重量鉄骨柱２６を立設し、且つ、一対の重量鉄骨柱２６の互いの頭部間に重量鉄骨梁２８を架設することで形成した門型ラーメン３０を有する。
【００５１】
そして、門型ラーメン３０を形成する一対の重量鉄骨柱２６の頭部と、軸組構造１４の上階部分１２が有する迫出し領域２の床構造とを、接合金具３４を介して接合させている。
【００５２】
これにより、本実施形態の建物の架構体では、建物の一階部分６のうち必要な領域だけを、大きな開口幅（例えば６ｍ程度）を設けるのに有利な門型ラーメン３０を有するラーメン構造１６で形成し、一階部分６の他の領域と上階部分１２を、低コストで提供可能な軸組構造１４によって形成することができる。つまり、建物の架構体のうち一階部分６の一部領域はラーメン構造１６を用いて高い自由度で設計し、架構体の他の部分については、規格化された軸組構造１４を用いて低コストで形成することが可能である。
【００５３】
また、本実施形態の建物の架構体は、軸組構造１４の上階部分１２の床構造（即ち二階部分８の床構造）に対して、接合金具３４を介して、重量鉄骨柱２６を接合させる構成であるから、二階部分８の床構造における床材の配置や設計、積算、施工などを、軸組構造１４の他の部分と共通に設けることができ、低コスト化が図られる。これに対して、例えばラーメン構造１６の重量鉄骨梁２８を、二階部分８の床梁として利用した場合には、床材に専用の切り欠きが必要になる等、他の軸組構造１４の部分とは異なる設計、積算、施工が必要になる。
【００５４】
更に、本実施形態の建物の架構体において、接合金具３４は、重量鉄骨柱２６の頭部に接合される下プレート４０と、上階部分１２の床構造に接合される上プレート４２と、下プレート４０と上プレート４２を結合させる縦リブ４４とを有する。
【００５５】
このように、ラーメン構造１６との接合に適した寸法形状を有する下プレート４０と、軸組構造１４との接合に適した寸法形状を有する上プレート４２とを、別々に有する接合金具３４を用いることで、梁幅等が異なる軸組構造１４の床構造と門型ラーメン３０とを、簡易に且つ強固に接合させることが可能となる。
【００５６】
更に、本実施形態の建物の架構体において、ラーメン構造１６は、門型ラーメン３０に加えて、一対の重量鉄骨柱２６の頭部からそれぞれ屋内方向に延設される屋内側重量鉄骨梁５４を有する。屋外側重量鉄骨梁５４は、上階部分１２の床構造に接合させている。
【００５７】
これにより、屋内側重量鉄骨梁５４と、上階部分１２の床構造をなす床梁とが一体化されて、高い強度が得られる。特に、重量鉄骨から成る屋内側重量鉄骨梁５４を設けたことで、屋内外方向に働く水平力に対して、高い耐力を発揮する。また、屋内側重量鉄骨梁５４が高い耐力を発揮するため、軸組構造１４の上階部分１２の床梁は、軽微な断面仕様で提供することが可能となる。
【００５８】
更に、本実施形態の建物の架構体では、接合金具３４とは別の梁接合金具５８を更に備え、屋内側重量鉄骨梁５４の先端部と、上階部分１２の床構造とを、梁接合金具５８を介して接合させている。
【００５９】
このように、専用の梁接合金具５８を用いることで、軸組構造１４の床構造と屋内側重量鉄骨梁５４とを、互いに梁幅等が異なるにも関わらず、簡易に且つ強固に接合させることが可能となる。
【００６０】
次に、本発明の第２実施形態の建物の架構体について、図９〜図１１に基づいて説明する。なお、上述した第１実施形態と同様の構成については、同一符号を付して詳細な説明を省略する。以下においては、第１実施形態とは相違する構成について詳述する。
【００６１】
本実施形態の建物の架構体において、一階部分６のラーメン構造１６は、更に屋外側重量鉄骨梁８８を有する。屋外側重量鉄骨梁８８は、門型ラーメン３０が有する一対の重量鉄骨柱２６の頭部から、それぞれ屋外方向（前方向１００）に延設される。
【００６２】
Ｈ型鋼梁である屋外側重量鉄骨梁８８の屋内方向（後方向２００）の端部は、角型鋼管柱である重量鉄骨柱２６の頭部に対して、継手金具８４と接合金具３４とを用いて、剛接合される（図１０参照）。
【００６３】
継手金具８４は、屋内側重量鉄骨梁５４の接合に用いる継手金具７８と、同様の構造を有する。つまり、Ｔ字状である継手金具８４の縦片部８６が、重量鉄骨柱２６の側面にボルト及びナットで接合され、継手金具８４の横片部８７が、屋外側重量鉄骨梁８８が有する下側フランジの下面にボルト及びナットで接合される。
【００６４】
本実施形態では、接合金具３４が、第二延設部分５０とは反対側に延設される第三延設部分９０を更に有する。第三延設部分９０は、第二延設部分５０と同様の構造を有し、複数のボルト及びナットによって、屋外側重量鉄骨梁８８が有する上側フランジの上面に接合される。第一乃至第三延設部分４８，５０，９０を有する接合金具３４は、全体が平面視Ｔ字状に形成される。
【００６５】
門型ラーメン３０から片持ち梁のように延設される屋外側重量鉄骨梁８８の先端部は、梁接合金具９２を介して、軸組構造１４の二階部分８の床構造に接合される。
【００６６】
梁接合金具９２は、屋内側重量鉄骨梁５４を接合させる梁接合金具５８と同様の構造を有する。つまり、梁接合金具９２は、平面視矩形状である下プレート９４と、下プレート９４の上方に位置する平面視矩形状の上プレート９６と、上下方向に対向位置する両プレート９４，９６同士を結合させる複数の縦リブ９８とを、一体に有する。
【００６７】
下プレート９４は、複数のボルト及びナットによって、屋外側重量鉄骨梁８８が有する上側フランジの上面に接合される。上プレート９６は、複数のボルト及びナットによって、二階部分８の床構造をなす軽量鉄骨梁２０に接合される。
【００６８】
本実施形態では、重量鉄骨柱２６の頭部から、屋内側重量鉄骨梁５４と屋外側重量鉄骨梁８８とが互いに離れる方向に延設された、側面視Ｔ字状のラーメン構造１６を備えているので、屋内外方向に働く水平力に対して、更に高い耐力を発揮する。
【００６９】
また、屋外側重量鉄骨梁８８が、軸組構造１４の上階部分１２の床梁を更に補強するように機能するので、上階部分１２を、一階部分６の重量鉄骨柱２６の位置から更に前方向１００に大きくオーバーハングさせて設けることも可能となっている。
【００７０】
以上のように、本実施形態の建物の架構体において、ラーメン構造１６は、門型ラーメン３０に加えて、一対の重量鉄骨柱２６の頭部からそれぞれ屋外方向に延設される屋外側重量鉄骨梁８８を有する。この屋外側重量鉄骨梁８８を、上階部分１２の床構造に接合させている。
【００７１】
これにより、門型ラーメン３０から屋外側に延設される屋外側重量鉄骨梁８８が、軸組構造１４である上階部分１２の床構造を、更に補強する。そのため、この上階部分１２を、門型ラーメン３０の位置から更に屋外方向に大きくオーバーハングさせて設けることが可能になる等、設計対応範囲の大きな構造となる。
【００７２】
更に、本実施形態の建物の架構体では、接合金具３４とは別の梁接合金具９２を更に備え、屋外側重量鉄骨梁８８の先端部と、上階部分１２の床構造とを、梁接合金具９２を介して接合させている。
【００７３】
このように、専用の梁接合金具９２を用いることで、軸組構造１４の床構造と屋外側重量鉄骨梁８８とを、互いに梁幅等が異なるにも関わらず、簡易に且つ強固に接合させることが可能となる。
【００７４】
以上、本発明を、添付図面に示す第１及び第２実施形態に基づいて説明したが、本発明はこれらの実施形態に限定されるものではない。
【００７５】
例えば、第１及び第２実施形態の建物の架構体において、一階部分６の前面にはラーメン構造１６のみが位置するが、図８に示す第１実施形態の変形例のように、一階部分６の前面が、ラーメン構造１６とこれに隣接する軸組構造１４とで形成されてもよい。
【００７６】
また、第１実施形態のラーメン構造１６は、門型ラーメン３０と屋内側重量鉄骨梁５４から成り、第２実施形態のラーメン構造１６は、門型ラーメン３０と屋内側及び屋外側重量鉄骨梁５４，８８から成るが、門型ラーメン３０と屋外側重量鉄骨梁８８でラーメン構造１６を形成してもよいし、門型ラーメン３０だけでラーメン構造１６を形成してもよい。
【００７７】
また、第１及び第２実施形態の建物の架構体では、門型ラーメン３０をなす重量鉄骨梁２８の中央部分に梁接合金具７０を接合させているが、梁接合金具７０を接合させる部分は重量鉄骨梁２８の中央部分以外であってもよいし、複数個所に梁接合金具７０を接合させてもよい。梁接合金具７０を介在させない構造も可能である。
【００７８】
また、第１実施形態や第２実施形態の建物の架構体では、接合金具３４、梁接合金具５８，７０，９２等の金具を、二階部分８の床構造をなす軽量鉄骨梁２０に接合させているが、これらの金具を、二階部分８の床構造をなすジョイントブロック等の他部材に接合させてもよい。
【００７９】
その他の構成についても、本発明の意図する範囲内であれば、各例において適宜の設計変更を行うことや、各例の構成を適宜組み合わせて適用することが可能である。
【符号の説明】
【００８０】
２  迫出し領域
４  基礎
６  一階部分
１２  上階部分
１４  軸組構造
１６  ラーメン構造
１８  軽量鉄骨柱
２０  軽量鉄骨梁
２６  重量鉄骨柱
２８  重量鉄骨梁
３０  門型ラーメン
３４  接合金具
４０  下プレート
４２  上プレート
４４  縦リブ
５４  屋内側重量鉄骨梁
５８  梁接合金具
７０  梁接合金具
８８  屋外側重量鉄骨梁
９２  梁接合金具
【図１】
2015025316.tif 000003
【図２】
2015025316.tif 000004
【図３】
2015025316.tif 000005
【図４】
2015025316.tif 000006
【図５】
2015025316.tif 000007
【図６】
2015025316.tif 000008
【図７】
2015025316.tif 000009
【図８】
2015025316.tif 000010
【図９】
2015025316.tif 000011
【図１０】
2015025316.tif 000012
【図１１】
2015025316.tif 000013